(57)【要約】      （修正有）【課題】例えば、外袋に設けたフィルム状袋の取出し口からフィルム状袋を一枚ずつ取り出す場合に、取り出しが容易であるとともに、この取出し動作を繰り返し行ったとしても、取出し口の開口縁部を切り裂いてしまうことを防止することができるフィルム状袋の収容方法およびフィルム状袋の収納パックを提供する。【解決手段】樹脂製の外袋内に収容されるフィルム状袋１８を折り畳むにあたり、同形状または半分の大きさの台紙３０を介在させて折り畳み、外袋の角部から引き出すようにした。【選択図】図５
2014218253.tif 000002
【特許請求の範囲】
【請求項１】
樹脂製の外袋内に収容されるフィルム状袋を折り畳むにあたり、同形状または半分の大きさの台紙を介在させて折り畳むことを特徴とするフィルム状袋の収容方法。
【請求項２】
複数枚のフィルム状袋が、樹脂製の外袋内に四つ折りの状態で収容され、四つ折りにされた前記フィルム状袋が前記外袋から一枚ずつ取り出されるフィルム状袋の収納パックであって、
前記フィルム状袋は、台紙が挟み込まれた状態で四つ折りにされ、
さらに、四つ折りにされた前記フィルム状袋の中心点を含む１つの角部が、前記外袋の角部に設けられた取出し口に臨むように配置されていることを特徴とするフィルム状袋の収納パック。
【請求項３】
前記台紙が、四つ折りにされる前の前記フィルム状袋と同じ大きさであることを特徴とする請求項２に記載のフィルム状袋の収納パック。
【請求項４】
前記台紙の大きさが、四つ折りにされる前の前記フィルム状袋の半分の大きさであることを特徴とする請求項２に記載のフィルム状袋の収納パック。
【発明の詳細な説明】
【技術分野】
【０００１】
本発明はフィルム状袋の収容方法およびこの収容方法で収容されたフィルム状袋の収容パックに関する。
【背景技術】
【０００２】
例えば、ポリエチレン製の薄手の袋などは、複数枚が重ねられた状態で、数１０枚〜数１００枚、外袋に収容して販売されている。
しかしながら、例えば、ポリエチレン製の袋などがある程度の大きさになると、そのまま重ねると大型化して取り扱いが不便であることから、折り畳まれた状態で、同じく樹脂製で小型の外袋内に収容され、販売されている。
【０００３】
図７は、このように製品であるフィルム状袋２を、このフィルム状袋２より小型の外袋４内に複数枚収容された、従来のフィルム状袋の収納パック１０を示したものであり、例えば、下端の耳部４ａに設けた取付穴６をフックなどに吊り下げて販売されている。
【０００４】
この収納パック１０は、例えば、薄手のフィルム状袋２としてポリ袋が３０枚、外袋４内に収容されている。
外袋４内に収容されたフィルム状袋２は、図８（Ａ）、（Ｂ）に示したように、例えば、Ｂ−Ｂ線およびＤ−Ｄ線をそれぞれ山折とし、Ｃ−Ｃ線を谷折として四つに折り畳まれている。そして、Ｂ−Ｂ線の山部とＤ−Ｄ線の山部を重ね合わせる態様でコンパクトにし、その重ね合わされたＢ−Ｂ線およびＤ−Ｄ線側を、図７に示した取付孔６とは反対側に位置する取出し口１２側に配置している。
【０００５】
このように形成された従来の収納パック１０では、ミシン目１１を切り開いて形成された取出し口１２からフィルム状袋２を一枚ずつ取り出そうとしたときに、２枚目のフィルム状袋２が引きずられてしまい、結果として、フィルム状袋２が二枚重なって取り出されてしまうことがあった。
【０００６】
また、フィルム状袋２の取り出し動作を何回も行っていると、外袋４の取出し口１２の開口縁部１２ａに繰り返しの負荷が作用するため、この開口縁部１２ａを、外方に切り裂いてしまうことがあった。
【０００７】
このように、取出し口１２の開口縁部１２ａの一部が、外方に切り裂かれてしまうと、その破損箇所が次第に大きくなり、場合によっては取出し口１２が広がって、外袋４の袋としての機能が損なわれてしまうという問題があった。
【発明の概要】
【発明が解決しようとする課題】
【０００８】
本発明は、このような実情に鑑み、例えば、外袋に設けたフィルム状袋の取出し口からフィルム状袋を一枚ずつ取り出す場合に、１枚ずつの取り出しが容易であるとともに、この取出し動作を繰り返し行ったとしても、取出し口の開口縁部を切り裂いてしまうことを可及的に防止することができるフィルム状袋の収容方法およびフィルム状袋の収納パックを提供することを目的としている。
【課題を解決するための手段】
【０００９】
上記目的を達成するための本発明に係るフィルム状袋の収容方法は、
樹脂製の外袋内に収容されるフィルム状袋を折り畳むにあたり、同形状または半分の大きさの台紙を介在させて折り畳むことを特徴としている。
【００１０】
このような収容方法によれば、台紙が介在されることにより外袋およびフィル状袋の型崩れが生じることを可及的に防止することができる。これにより、一枚ずつの取り出しが容易である。
【００１１】
また、本発明に係るフィルム状袋の収納パックでは、
複数枚のフィルム状袋が、樹脂製の外袋内に四つ折りの状態で収容され、四つ折りにされた前記フィルム状袋が前記外袋から一枚ずつ取り出されるフィルム状袋の収納パックであって、
前記フィルム状袋は、台紙が挟み込まれた状態で四つ折りにされ、
さらに、四つ折りにされた前記フィルム状袋の中心点を含む１つの角部が、前記外袋の角部に設けられた取出し口に臨むように配置されていることを特徴としている。
【００１２】
このような構成の収納パックであれば、フィルム状袋の取り出しをスムースに行うことができる。また、外袋の取出し口の近傍が切り裂かれてしまうことを可及的に防止することができる。
【００１３】
ここで、本発明の収納パックでは、前記台紙が、四つ折りにされる前の前記フィルム状袋と同じ大きさ、あるいは半分の大きさであっても良い。
このような大きさの台紙であれば、フィルム状袋の型崩れを効果的に防止することができる。
【発明の効果】
【００１４】
本発明に係るフィルム状袋の収容方法および収納パックによれば、フィルム状袋を、樹脂製の外袋から一枚ずつ容易に取り出すことができる。また、残量が少なくなっても、外袋およびフィルム状袋が型崩れせず、さらに、取り出し動作を繰り返し行ったとしても外袋の取出し口を切り裂いてしまうことがないので、フィルム状袋を一枚ずつ取り出すことができる。
【図面の簡単な説明】
【００１５】
【図１】図１は、本発明の一実施例に係るフィルム状袋の収容方法によりフィルム状袋が収容されている収納パックの正面図である。
【図２】図２（Ａ）は、図１の収納パックを構成するフィルム状袋の正面図、図２（Ｂ）は図２（Ａ）に示したフィルム状袋を四つ折りにしたときの中心点の位置を示す正面図である。
【図３】図３（Ａ）は、図１に示した収納パックに採用された外袋と同じ大きさの台紙を示す正面図、図３（Ｂ）は、外袋の半分の大きさの台紙を示す正面図である。
【図４】図４は、図２（Ａ）に示したフィルム状袋と、図３（Ａ）に示した台紙との配置関係を示す斜視図である。
【図５】図５は図４に示した態様でフィルム状袋と台紙とを折り畳んだときの折畳み体の斜視図である。
【図６】図６は図１に示した収納パックからフィルム状袋を一枚取り出すときの作業状況を示す説明図である。
【図７】図７は従来の収納パックの正面図である。
【図８】図８（Ａ）は従来のフィルム状袋を展開した状態を示す正面図、図８（Ｂ）は図８（Ａ）に示したフィルム状袋を四つ折りにするときの側面図である。
【発明を実施するための形態】
【００１６】
以下、図面に示した好ましい実施の形態について説明する。
図１は本発明の一実施例に係るフィルム状袋の収納パック２０の斜視図である。
この収納パック２０は、フィルム状袋（例えば、ポリエチレン製の袋）１８が、例えば１５枚、四つ折りにされた状態で外袋２４内に収容されたものである。
【００１７】
外袋２４は、樹脂製であるが、フィルム状袋１８より肉厚が厚いことが好ましい。図１に示した外袋２４の縦横の長さは、例えば、２１０ｍｍ×１３０ｍｍである。
一方、図２（Ａ）に示したように、フィルム状袋１８の縦横の長さは、例えば、３８０ｍｍ×２３０ｍｍである。しかしながら、これらの大きさは限定されない。
【００１８】
外袋２４の角部には、横４０ｍｍ、縦６５ｍｍからなる直角三角形の斜辺を結ぶように、予めミシン目が形成されている。このミシン目を切り開くことにより、フィルム状袋１８を取り出すための取出し口４０が形成される。
【００１９】
フィルム状袋１８のフィルム厚は、１０μｍ〜４０μｍ、好ましくは１５μｍ〜２５μｍである。図２に示したフィルム状袋１８のフィルム厚さは、例えば、２０μｍである。
フィルム状袋１８において、フィルム同士が封止されていない開口部２６側を、図２（Ａ）に示したように上とした姿勢で、中心点Ｏを通るＦ−Ｆ線で上半部を下方に折り返し、さらに中心点Ｏを通るＧ−Ｇ線で、右半部を左方に折り畳むことにより、図２（Ｂ）に示したように、中心点Ｏが右上となるように折り畳まれる。なお、図２（Ｂ）に示した四つ折りのフィルム状袋１８は、外袋２４より若干小さい。
【００２０】
本実施例では、このようなフィルム状袋１８および外袋２４の他に、図３（Ａ）に示した台紙３０が用意される。
台紙３０の大きさは、縦横の長さがフィルム状袋１８と同一である。
【００２１】
なお、台紙３０は、必ずしもフィルム状袋１８と同一の大きさである必要はなく、図３（Ｂ）に示したように、例えば、フィルム状袋１８の半分の大きさの台紙３２であっても良い。
【００２２】
フィルム状袋１８と同じ大きさの台紙３０を用いる場合は、図４に示したように、複数枚のフィルム状袋１８を重ね合わせた後に、その片側に台紙３０を配置し、この台紙３０を内側に包み込むようにして、Ｆ−Ｆ線、Ｇ−Ｇ線で折り畳む。なお、Ｆ−Ｆ線、Ｇ−Ｇ線のどちらを先に折っても良く、順番は限定されない。
【００２３】
このようにして複数枚のフィルム状袋１８が台紙３０を挟んだ状態で四つ折りにされる。
図５は、複数枚のフィルム状袋１８の内部に、台紙３０が挟み込まれて、四つ折りにされた折畳み体５０の概略図である。図１の収納パック２０は、このような折畳み体５０が外袋２４内に収容されたものである。
【００２４】
すなわち、収納パック２０では、フィルム状袋１８の中心点Ｏを含む１つの角部が、外袋２４の取出し口４０に、臨むようにして収容されている。また、収納パック２０では、外袋２４の粘着側端部２４ａが折り返されて外袋２４の本体側に貼り合わされている。
【００２５】
このような構成の収納パック２０によれば、図６に示したように、使用者が、取出し口４０からフィルム状袋１８を１枚引っ張れば、そのフィルム状袋１８を容易に取り出すことができる。すなわち、内部に台紙３０が挟まれているので、外袋２４の変形が少ない。したがって、図１の姿勢からの引き出し動作によれば、フィルム状袋１８が滑り易くなるので、フィルム状袋１８の最終部分まで容易に引き出すことができる。
【００２６】
なお、このようなフィルム状袋１８の引き出し動作を何回も繰り返し行って多数枚取り出したとしても、台紙３０が介在されることによりフィルム状袋１８に型崩れが生じない。
【００２７】
さらに、本実施例によれば、フィルム状袋１８の取出しがスムースであることから、この動作を繰り返し行ったとしても、取出し口４０の開口縁部に大きな負荷が作用することがない。したがって、フィルム状袋１８の取出し口４０が切り裂かれてしまうことないので、外袋２４の形状を最後まで良好に保つことができる。また、フィルム状袋１８の残量が少なくなったとしても、取出し作業性が損なわれることはない。
【００２８】
以上、本発明の実施例について説明したが、本発明は上記実施例に何ら限定されない。
例えば、台紙の大きさは、フィルム状袋と同じ大きさ、あるいは、半分の大きさであることが好ましいが、これに限定されず、要は、袋が滑り出るのであれば、台紙はどのような大きさであっても良い。
【００２９】
なお、官能評価試験によれば、フィルム状の袋１８を１５枚積層収容した収納パック２０において、最初の一枚目を引き出す場合も中間付近（７〜８枚目）を引き出す場合も、最後の一枚（１５枚目）を引き出す場合も、引き出し易さに大きな違いはないとの評価を得た。
【００３０】
また、台紙３０を入れた場合と、台紙を入れない場合とでは、取り出し易さに顕著な違いがあるとの評価を得た。
【符号の説明】
【００３１】
１８          フィルム状袋
２０          収納パック
２４          外袋
３０、３２    台紙
４０          取出し口
５０          折畳み体
【図１】
2014218253.tif 000003
【図２】
2014218253.tif 000004
【図３】
2014218253.tif 000005
【図４】
2014218253.tif 000006
【図５】
2014218253.tif 000007
【図６】
2014218253.tif 000008
【図７】
2014218253.tif 000009
【図８】
2014218253.tif 000010